(57)【要約】【課題】無線通信機の操作パネルに実装された回動操作部品（可変抵抗器やロータリーエンコーダ等）のツマミを操作する際に、パネル面に正対した状態では腕に対して手を外側へ反らせる態様でツマミを摘まなければならず、窮屈で操作性が悪くなるという問題があった。【解決手段】操作用電子部品を箱体状の操作パネルに実装した無線通信機１において、操作パネル４の側端壁を傾斜させて構成し、ツマミ６bによって回動操作される電子部品をその側端壁に取り付けることにより、ツマミ６bの回動軸を外側へ傾斜した状態とする。手１３と腕１１の関係が自然な状態でツマミ６bを摘めるために前記課題を解消できる。また、卓上設置型の無線通信機の場合には、操作パネルの背面を固定端とした把手をツマミの背後に設け、把手を握った状態でツマミを操作できるようにすれば、細かな調整も安定的に行える。【選択図】図１
2005203454.tif 000002
【特許請求の範囲】
【請求項１】
操作用電子部品を箱体状の操作パネルに実装した無線通信機において、
ツマミによって回動操作される電子部品を、前記操作パネルの側端部に、操作軸を外側へ傾斜させて取り付けたことを特徴とする無線通信機における操作用電子部品の実装方式。
【請求項２】
前記操作パネルの側端壁を傾斜させて構成し、その側端壁に対してツマミによって回動操作される電子部品を取り付けた請求項１に記載の無線通信機における操作用電子部品の実装方式。
【請求項３】
前記操作パネルにおける側端部の一定区間を前方へ湾曲させた態様で形成し、その形成によって傾斜して構成された側端壁に対してツマミによって回動操作される電子部品を取り付けた請求項１に記載の無線通信機における操作用電子部品の実装方式。
【請求項４】
前記操作パネルの表面に前記ツマミの上下面の一部を覆う隆起部を形成した請求項１、請求項２、又は請求項３に記載の無線通信機における操作用電子部品の実装方式。
【請求項５】
前記操作パネルの背面に固定させた把手を前記ツマミの背後に設け、前記把手を親指以外の指で把持した状態で前記ツマミを親指で回動操作できるようにした請求項１、請求項２、請求項３、又は請求項４に記載の無線通信機における操作用電子部品の実装方式。
【請求項６】
前記把手は前記操作パネルの背面に対して着脱自在に取り付けられている請求項５に記載の無線通信機における操作用電子部品の実装方式。
【発明の詳細な説明】
【技術分野】
【０００１】
本発明は無線通信機における操作用電子部品の実装方式に係り、特に、モービル運用される無線通信機の操作パネルに対して、ツマミによって回動操作される電子部品（以下、「回動操作部品」という）を取り付ける場合の改良的方式に関する。
【背景技術】
【０００２】
船舶や車両に搭載される無線通信機の操作パネルには、多数の操作部品が実装されているが、操作方式で大別すれば、押しボタンスイッチと、可変抵抗器や可変容量器やロータリーエンコーダ等の回動操作部品とに分かれる。
また、最近の無線通信機では、操作パネルのほぼ中央部に液晶表示部を配置させて、その周囲に各操作部品を配設させている機種が多い。
【０００３】
そして、操作パネル面における操作部品のレイアウトはメーカや無線通信機の型式によって様々に相違しているが、回動操作部品については、ユーザが操作パネルに正対して操作することを考慮して、操作パネルの側部寄り領域に配設される傾向がある。
例外的に、運用周波数を設定するメインダイヤルツマミについては中央領域に設けられている機種も多く見受けられるが、それは、微小な回動角度での調節が要求されるメインダイヤルツマミはその径が比較的大きく設計され、配置スペース上の制約を受けるためである。
従って、操作性を考慮すれば、メインダイヤルツマミもむしろ側部寄り領域に設ける方が合理的である。
【０００４】
このように、無線通信機では、押しボタンスイッチはどの位置にあってもそれほど操作性に影響しないために、各スイッチの機能の関連付けを理解し易くするような配置がなされるが、回動操作部品は原則的にツマミ操作が行い易い側部寄りに配置されている場合が多い。
尚、操作パネルに対する操作部品の配置に関しては、下記特許文献１では同種・同特性の操作部品相互間での制御機能を自由に割り付けられるようにした方式が提案されており、ユーザの利き手や機器の設置箇所等に応じて選択的な割り付けを行うことにより使用条件に応じた良好な操作性を実現している。
【０００５】
【特許文献１】特許第３４２６１８４号公報
【発明の開示】
【発明が解決しようとする課題】
【０００６】
ところで、図１１に示すように、無線通信機１００の回動操作部品１０１はその回動軸１０２が操作パネル１０３に対して垂直になるように取り付けられている。
従って、同図に示すように、回動操作部品１０１が操作パネル１０３の側部寄りに配設されていても、ユーザ１０４が操作パネル１０３に正対した状態で回動操作部品１０１のツマミ１０１aを指で操作する際には、腕１０５の方向（１０６）に対して手１０７の甲の方向（１０８）を外側へ開いて行われる。
【０００７】
その場合、一般に人間の手首はそれほど柔軟ではなく、腕１０５の方向（１０６）と手１０７の甲の方向（１０８）とのなす角度αはせいぜい１００°程度までで、それ以上に小さな角度にすることは無理であり、ツマミ１０１aの操作はかなり窮屈な状態で行われることになる。特に、モービル運用される無線通信機においては、移動時に身体が不安定に振動したり揺動したりしている場合も多く、前記の窮屈な状態での操作では適切な調節や調整を行うことが困難になる。
【０００８】
そして、その窮屈さを緩和するべく前記角度αを大きくするには、図１１において、ユーザ１０４は操作パネル１０３との正対位置から左側へ移動せざるを得ない。
しかし、最近の無線通信機は部品の実装密度を上げて益々小型化が図られていると共に、前記のように操作パネルのほぼ中央部に液晶表示部が設けることが多く、ユーザ１０４が移動してその視点が操作パネル１０３に対する正対位置から側方へずれてしまうと、液晶表示部１０９の視角特性によっては表示内容が見えなくなる場合もある。
【０００９】
そこで、本発明は、無線通信機の操作性に関する前記問題点に鑑みて、操作パネルに正対しながら回動操作部品のツマミを自然な手の形で無理なく操作でき、更には船舶や車両の中で振動状態や揺動状態にあっても正確に調整操作ができるようにした回動操作部品の実装方式を提供することを目的として創作された。
【課題を解決するための手段】
【００１０】
本発明は、操作用電子部品を箱体状の操作パネルに実装した無線通信機において、回動操作部品を、操作パネルの側端部に、操作軸を外側へ傾斜させて取り付けたことを特徴とする無線通信機における操作用電子部品の実装方式に係る。
操作パネルに対する回動操作部品のより具体的な取り付け方としては、例えば、操作パネルの側端壁を傾斜させて構成し、その側端壁に対して回動操作部品を取り付ける方式や、操作パネルにおける側端部の一定区間を前方へ湾曲した態様で形成しておき、その形成によって傾斜して構成された側端壁に対して回動操作部品を取り付ける方式が考えられる。
尚、回動操作部品の操作軸の傾斜角度については、操作パネル自体の幅を考慮し、また表示部を備えている場合にはその位置を考慮して設定されるが、パネルに対して立てた垂線に対して約２０°〜７０°の範囲で選択される。
【００１１】
また、本発明の前記実装方式に対する拡張的構成として、操作パネルの表面にツマミの上下面の一部を覆う隆起部を形成した形態や、操作パネルの背面に固定させた把手をツマミの背後に設けておき、その把手を親指以外の指で把持した状態でツマミを親指で回動操作できるようにした形態も採用できる。
【発明の効果】
【００１２】
この発明によれば、ユーザは、無線通信機の操作パネルに正対していても、図１１における角度αを大きくとった自然な態様で回動操作部品のツマミを指で摘むことができ、窮屈さの無い状態で回動操作を行えることから、操作性の向上が図れる。また、無線通信機が小型であっても、ユーザは操作パネルに対して正対しながらツマミを操作できるため、液晶表示部が設けられている場合にその視角特性による制限を受けることはない。
ツマミの上下面の一部を覆う隆起部を形成した形態によれば、ツマミに対する意図しない接触を防止できると共に、その隆起部に薬指と小指を当接させておいて親指と人差し指や中指でツマミを操作することにより微小角度での回動操作が容易になるという利点がある。
更に、ツマミの背後に操作パネルの背面に固定させた把手を配置させた形態によれば、船舶や車両等の中での不安定な操作環境においても、ツマミと手の相対的位置関係を固定した状態で操作できるため、常に正確な操作を行えるようにできる。
【発明を実施するための最良の形態】
【００１３】
以下、図１から図１０を参照しながら、本発明の「無線通信機における操作用電子部品の実装方式」に係る各実施例を説明する。
【実施例１】
【００１４】
この実施例は、船舶で利用される壁面埋め込みタイプのトランシーバにおいて、その操作パネルに回動操作部品を実装する方式に関する。
図１はトランシーバが設置された状態を示す平面図であり、トランシーバ１はその本体筐体部２が壁３に埋め込まれており、箱状筐体として構成された操作パネル４がその背面側を壁面３aに当接させた態様で固定されている。
また、図２の（Ａ）は操作パネル４の右側部領域の正面図を、（Ｂ）は同領域に係る平面図、（Ｃ）は同領域における回動操作部品が取り付けられている部分の断面図である。
【００１５】
この実施例に係るトランシーバ１の特徴は、操作パネル４の右側の側端壁５が傾斜面として構成されており、チャンネルセレクト用とボリューム用とスケルチ用の各回動操作部品６，７，８がその回動軸を前記側端壁５に対して垂直な関係で貫通させて取り付けられており、操作パネル４の表面側に突出した各回動軸６a，７a，８aに対してツマミ６b，７b，８bが嵌着せしめられている点にある。
【００１６】
但し、この実施例では、操作パネル４の側端壁５は基準面（操作パネル４の背面）に対して約４５°傾斜させてあり、その結果、各回動操作部品６，７，８の回動軸６a，７a，８aが前記基準面に立てた垂線に対して外側へ約４５°（図１及び図２における角度θ）傾斜した状態で取り付けられている。
尚、図２において、ボリューム用とスケルチ用の各回動操作部品７，８と各回動軸７a，８aは表されていないが、図２の（Ｃ）で示してあるチャンネルセレクト用の回動操作部品６の場合と同様の構成で側端壁５に取り付けられている。
【００１７】
以上の構成によると、ユーザが操作パネル４に正対している状態で、回動操作部品６のツマミ６aを指で摘んで操作する場合の手と腕の関係は図１に示すようになり、腕１１の方向（１２）と手１３の甲の方向（１４）とのなす角度β（図１１における角度αに相当）は２１０°程度になり、図１１で示したような窮屈さがなく、極めて自然な態様でツマミ６aの操作が行えるようになる。
そして、各回動操作部品７，８のツマミ７b，８bの操作に関しても同様であることは当然である。
従って、ユーザは操作パネル４のほぼ中央領域に設けられている液晶表示部１０に正対した状態で、チャンネルセレクト操作やボリューム・スケルチの調整操作を無理なく行うことができ、優れた操作性を実現できる。
【００１８】
更に、この実施例では、操作パネル４の表面における各回動操作部品６，７，８のツマミ６b，７b，８bが配設されている方向に沿って隆起部１５が形成されており、各ツマミ６b，７b，８bの上下面の一部を覆っている。但し、スケルチ用のツマミ８bについては、隆起部１５がツマミ８bの前面も覆っている。
この隆起部１５は各ツマミ６b，７b，８bに対するガード機能を果たす。
即ち、船舶の航行中においては頻繁に揺動が生じ、ユーザがツマミ６b，７b，８bに不意に接触して調整状態を大きく変化させてしまう可能性があるが、隆起部１５を設けたことによりそれを防止できる。
また、ツマミ６b，７b，８bの回動操作は一般に親指と人差し指と中指で行い、他の薬指と小指は使わないため、その薬指と小指をツマミ６b，７b，８bの下側にある隆起部１５に当てた状態で回動操作を行うようにすれば、手の不要な動きが抑制されて細かい調整も安定的に行える。
【実施例２】
【００１９】
この実施例も、前記の実施例１の場合と同様のトランシーバの操作パネルに回動操作部品を実装する方式に関するものである。
図３はトランシーバ１'が壁に設置された状態を示す平面図であり、図４は操作パネル４'の右側部領域における回動操作部品の取り付け部分の断面図である。
【００２０】
図３と図１とを比較し、また図４と図２（Ｃ）を比較すれば明らかなように、実施例１においては傾斜面として構成され操作パネル４の側端壁５に回動操作部品６，７，８を取り付けるようにしていたが、この実施例では操作パネル４'における側端部の一定区間を前方へ湾曲させて形成し、その側端壁２１に回動操作部品６，７，８が取り付けられている点に特徴がある。
尚、図３及び図４では回動操作部品６とそのツマミ６bだけが示されているが、他の回動操作部品７，８についても取り付け部分の構成は同様である。
【００２１】
ここに、操作パネル４'の側端部は側端壁２１が操作パネル４'の背面に対して約４５°傾斜するように湾曲させてあり、各回動操作部品６，７，８の回動軸６a，７a，８aは操作パネル４'の背面に立てた垂線に対して外側へ約４５°（角度θ）傾斜することになり、手と腕の関係は実施例１の場合と同様になるため、窮屈さのない自然な状態でツマミ６aを操作することができる。
【００２２】
また、この実施例の実装方式によれば、実施例１の場合と比較して、ツマミ６b，７b，８bを壁面３aから離れた位置に配置でき、回動操作部品６，７，８を操作パネル４'の内部に余裕を持って実装できるという利点もある。
更に、この実施例においても、側端壁２１のツマミ６b，７b，８bが配設されている方向に沿って隆起部１５'を形成されている。
従って、実施例1の場合と同様に、ツマミ６b，７b，８bに対する不意の接触を防止できると共に、微調整時等の安定した操作性の確保が図れる。
【実施例３】
【００２３】
この実施例は、実施例１の壁面埋め込みタイプのトランシーバを卓上設置タイプとしても利用できるようにした場合の拡張的構成に関する。
図５及び図６はそれぞれ卓上設置タイプとして利用した場合の正面図と平面図を示す。尚、図５における二点鎖線で囲んだ領域には押しボタンスイッチ類が配設されているが省略してある。
【００２４】
卓上に設置する場合には、専用のＵ字状のブラケット３１を用い、そのブラケット３１を基台の上にボルト３２a，３２bで固定すると共に、ブラケット３１の両側板部に対してトランシーバ１の本体筐体部２の両側壁をブッシュ３３a，３３bを介してネジ３４a，３４bで締着することにより、トランシーバ１全体を支持・固定する。
【００２５】
この実施例は、操作パネル４の背面にネジ止め固定した把手３５が設けられており、図６に示すように、ユーザがその把手３５に親指以外の指を引っ掛けた状態で、親指の腹でツマミ６b，７b，８bを回動操作できるようになっている点に特徴がある。
従って、この実施例の構成によれば、図１に示したように、ツマミ６b，７b，８bを指で摘んで操作する場合においては、実施例１の場合と同様の効果を奏すると共に、図６に示した前記状態で操作を行う場合には、船舶が揺動して不安定な操作環境になっても、操作パネル４に対する手の位置を安定化させることができ、正確な操作を行えるという利点がある。
また、図６に示す手３６と腕３７の状態は、操作パネル４の中央の液晶表示部１０に正対しながら操作パネル４の側部を手３６で握持する場合の自然な状態であり、窮屈な操作を強いられることはない。
【００２６】
尚、把手３５は操作パネル４の背面に対してネジ止めされているだけで着脱自在であり、実施例１のように壁面埋め込みタイプとして利用する場合には、操作パネル４から把手３５を外して壁面に埋め込むようにすればよい。
【実施例４】
【００２７】
この実施例は、実施例３の変形例に相当するものであり、船舶で利用される卓上設置タイプの無線通信機に対して本発明を適用した場合に関する。
図７の（Ａ）は無線通信機の外観斜視図を、（Ｂ）は平面図を示す。
この無線通信機４１は、通常の送受信機能以外に、ＧＰＳ（Global Positioning System）を利用したナビゲーション機能やトラッキング・ルーティング機能を備え、箱状の操作パネル４２内に前記各機能に係る電子回路を集約的に内蔵させていると共に、そのパネル面の右側部領域４３には押しボタンスイッチ類と回動操作部品のツマミ４４が実装されている。
また、前記の部品実装領域の左側は比較的大きなサイズの液晶表示部４５として構成されている。
尚、操作パネル４２全体は固定台４６によって卓上に設置される。
【００２８】
この無線通信機４１の特徴は、回動操作部品が実施例１と同様の方式で実装されており、Ｕ字状に曲げた棒材又はパイプ材で構成した把手５１が、そのグリップ部分５１aを回動操作部品のツマミ４４の背後に位置させるようにして、操作パネル４２の背面に固定されている点にある。
その構成によれば、図８に示されるように、ユーザは把手５１のグリップ部分５１aを人差し指から小指までの４本の指で握った状態で、親指によってツマミ４４を操作することができ、実施例３の場合（図６の操作状態）と比較しても、ツマミ４４に対する手５２の相対的位置がより強く固定されるために、振動や揺動のある操作環境においても回動操作部品の正確な調整が可能になる。
【００２９】
また、前記の図７及び図８に示した実施例ではＵ字状に曲げた棒材等で把手５１を構成しているが、他の変形例として、図９及び図１０に示すようにバー・ハンドル状の把手６１としてもよい。
即ち、把手６１は操作パネル４２'の背面に水平に固定された中空棒６１aに対して垂直な関係で取り付けられており、そのハンドル部分がツマミ４４の背後に位置させてある。
また、その把手６１の先端部には、図７及び図８に示した実施例では操作パネル４２側に設けられていたカーソルノブや主要操作キーがレイアウトされており、それら操作部ヒント操作パネル４２'側の電子回路は中空棒６１aの内部を通したリード線で接続されている。
【００３０】
従って、ユーザは把手６１を握った状態で、前記カーソルノブ等を親指で操作できると共に、図１０に示すようにツマミ４４も操作することができる。
この把手６１を用いた実施例によれば、ツマミ４４に対する手６２の相対的位置が強く固定されることは図８の場合と同様であり、回動操作部品を正確に調整できると共に、極めて高い操作性が実現できる。
【産業上の利用可能性】
【００３１】
以上のように、本発明は、無線通信機の操作パネルに対する回動操作部品の合理的な実装方式を提供し、無線通信機の操作性を向上させる。
【図面の簡単な説明】
【００３２】
【図１】実施例１に関して、トランシーバが壁面に埋め込み設置されており、回動操作部品のツマミを操作している状態を示す平面図である。
【図２】実施例１に関して、操作パネルの右側部領域の正面図（Ａ）と、同領域に係る平面図（Ｂ）と、同領域における回動操作部品が取り付けられている部分の断面図（Ｃ）である。
【図３】実施例２に関して、トランシーバが壁面に埋め込み設置されており、回動操作部品のツマミを操作している状態を示す平面図である。
【図４】実施例２に関して、操作パネルの右側部領域における回動操作部品が取り付けられている部分の断面図である。
【図５】実施例３に関して、トランシーバが卓上に固定設置された状態での正面図である。
【図６】実施例３に関して、トランシーバが卓上に固定設置されており、回動操作部品のツマミを操作している状態を示す平面図である。
【図７】実施例４に関して、送受信機能とＧＰＳを利用した各種機能を備えた無線通信機の外観斜視図（Ａ）と、平面図（Ｂ）である
【図８】実施例４に関して、回動操作部品のツマミを操作している状態を示す外観斜視図である。
【図９】実施例４の他の例に関して、送受信機能とＧＰＳを利用した各種機能を備えた無線通信機の外観斜視図（Ａ）と、平面図（Ｂ）である。
【図１０】実施例４の他の例に関して、回動操作部品のツマミを操作している状態を示す外観斜視図である。
【図１１】従来の無線通信機のツマミ操作状態を示す平面図である。
【符号の説明】
【００３３】
１，１'…トランシーバ、２，２'…本体筐体部、３…壁、３a…壁面、４，４'…操作パネル、５…側端壁、６，７，８…回動操作部品、６a，７a，８a…回動軸、６b，７b，８b…ツマミ、１０…液晶表示部、１１…腕、１２…腕の方向、１３…手、１４…手の甲の方向、１５，１５'…隆起部、２１…側端壁、３１…ブラケット、３２a，３２b…ボルト、３３a，３３b…ブッシュ、３４a，３４b…ネジ、３５…把手、３６…手、３７…腕、４１，４１'…無線通信機、４２，４２'…操作パネル、４３，４３'…右側部領域、４４…ツマミ、４５…液晶表示部、４６…固定台、５１…把手、５１a…グリップ部分、５２…手、６１…把手、６１a…中空棒、６２…手、１００…無線通信機、１０１…回動操作部品、１０１a…ツマミ、１０２…回動軸、１０３…操作パネル、１０４…ユーザ、１０５…腕、１０６…腕の方向、１０７…手、１０８…手の甲の方向、１０９…液晶表示部。
【図１】
2005203454.tif 000003
【図２】
2005203454.tif 000004
【図３】
2005203454.tif 000005
【図４】
2005203454.tif 000006
【図５】
2005203454.tif 000007
【図６】
2005203454.tif 000008
【図７】
2005203454.tif 000009
【図８】
2005203454.tif 000010
【図９】
2005203454.tif 000011
【図１０】
2005203454.tif 000012
【図１１】
2005203454.tif 000013